(57)【要約】【課題】  従来の水力発電用の水車は、高所にある水の位置エネルギーを運動エネルギーに変換し、該運動エネルギーを利用し、水車を回転させ、該水車と連結した発電機を運転し電力を得る方法が一般的である。従って、位置エネルギーを決定する水量と有効落差は大切な要因となる。豊富な流水量が確保できても、有効落差が１メートル以下となると従来の各種型式の水車の適用は難しく、適用しても高い水車効率は期待できないという問題がある。【解決手段】  揺動ベーン水車の利用により、低落差でも、豊富な流水量が含むエネルギーを利用し、ケーシング側に配置した大きな注水口、及び排水口と共に、水車内部に形成した大きい通水口を、流水が、密閉状態で流水受圧面積の大きいベーン体に作用しながら移動する事で効率良くトルクを得る事ができ、発電機の回転駆動力源として利用できる。【選択図】図５
2008208824.tif 000002
【特許請求の範囲】
【請求項１】
両端に支軸を備えた主軸の周囲に、該主軸の軸心から同一半径で、且つ該軸心を中心とする円周を等分した複数箇所に軸の中心を定め、該軸を前記主軸の軸心方向と平行に複数配置し、主軸の外面から半径方向に伸びる板状の支持具で固定し形成した回転体本体と、薄肉円筒体を利用し、該薄肉円筒体を中心方向から等分割して得られる曲面板をベーン体として利用し、該曲面板の片側曲面端に前記回転体本体側の軸を把持する開口部を設けた円筒形の軸受けを備えた複数の軸受け付き曲面板とから構成し、軸受け付きベーン体としての軸受け付き曲面板は、該軸受けで回転体本体側の軸を離脱する事なく把持しながら該軸を中心として、回転体本体の外周の外側で自在に揺動し、全ての軸受け付きベーン体が該回転体本体の外周に閉じる事で、配置された複数の軸受け付きベーン体により外形形状が円筒体外形面と同様の円曲面を形成する事を特徴とする揺動ベーン付き回転体。
【請求項２】
請求項１に示す揺動ベーン付き回転体を水車のランナとして利用し、該ランナを内面形状が楕円に類似した形状の筒から成るケーシングの内部に、さらに、ランナとしての揺動ベーン付き回転体の軸心を、ケーシングの中心から楕円の短軸上において偏心配置し、該偏心配置によるケーシング内面と、円曲面を形成した揺動ベーン付き回転体の外形面との対面間隔の狭い側に、流水漏洩防止器具として、ケーシング内面側から軸受け付きベーン体に先端が接触するように、ランナの回転方向に向けて板状の弾性体を配置し、対面間隔の広い側においては、揺動ベーン付き回転体の軸心を中心とした円弧を利用して形成したケーシング内面に、密閉作動区間の範囲を設定し、ケーシング側にランナの回転方向に従い、注水口、密閉作動区間の範囲、排水口、そして板状弾性体の順に各構成要素を設定、及び配置し、さらに、ベーン体の初期揺動動作を確保するスプリングを軸受け付きベーン体の軸受け端と主軸との間に配置し全体を構成した事を特徴とする揺動ベーン水車。
【発明の詳細な説明】
【技術分野】
【０００１】  本発明は水力発電に利用する水車に関する。さらに詳しくは、水車のランナに対応する回転体として、揺動ベーン付き回転体を利用し、さらに、内面形状が楕円に類似した形状の筒から成るケーシングと共に水車を構成し、発電機の回転駆動力源とする水車に関する。
【背景技術】
【０００２】  従来の水車は衝動水車の代表としてペルトン水車、反動水車としてフランシス水車、プロペラ水車、及び斜流水車がある。他にプロペラ水車の可変羽根型のカプラン水車、斜流水車の可変羽根型のデリヤ水車等がある。各種の水車と適用落差との関係では、ペルトン水車は主として、３００メートル以上の高落差領域に適用され、フランシス水車は３０〜５００メートルの中落差領域の幅広い範囲に適用され、斜流水車は２０〜２００メートル、プロペラ水車及びカプラン水車では５〜８０メートルの低落差領域、そして、３メートル以下の落差において利用されるクロスフロー水車等がある。このように発電用水車においては、高所の水源の位置エネルギーを運動エネルギーに変換して利用するため、水車の設置位置と水源の位置との有効落差は単位時間当たりの流水量と共に水車出力に関する大切な要素となる。流水に関する力学的エネルギーを表すベルヌーイの定理によると、流路の損失を無視すると、一つの流線にそって、位置エネルギーと圧力エネルギー、及び運動エネルギーの総和はエネルギー不変の法則に従って一定である。ペルトン水車は流水がノズルを出たところで、流水のもつエネルギーは殆ど運動エネルギーに変換されて利用され、フランシス水車及び、プロペラ水車などの反動水車では、水車入口において、一部は運動エネルギーに変換されるが、残部は圧力エネルギーの形で流入する。また、水車に対する水流の方向は、フランシス水車においては、水流はランナ外周から流入し、水車の軸方向へ流出する。プロペラ水車においては、水車の軸方向から流入し、同じく軸方向へ流出する。斜流型は斜め方向から流入し、軸方向へと流出する等のそれぞれ特徴を備えている。【０００３】
【特許文献１】  公開特許公報（Ａ）  昭５６−１５９５０６
【特許文献２】  公開特許公報（Ａ）  昭６０−６０２０１
【特許文献３】  公開特許公報（Ａ）  平１−１７８７０１
【特許文献４】  公開特許公報（Ａ）  特開２００１−２５４６６５
【発明の開示】
【発明が解決しようとする課題】
【０００４】  従来の水力発電用の水車においては、高所にある水の位置エネルギーを運動エネルギーに変換し、主に該運動エネルギーを利用し、水車を回転させ、該水車と連結した発電機を運転し電力を得る方法が一般的である。従って、位置エネルギーの大きさを決定する水量と有効落差は大切な要因となる。しかし、豊富な流水量が確保できても、有効落差が１メートル以下となると従来の各種型式の水車の適用は難しく、適用しても高い水車効率は期待できないという問題がある。【０００５】  本発明はかかる事情に鑑み、河川の中流域、あるいは下流域において、常時多量の流水量が確保できる地域において、１メートル以下の有効落差でも多量の流水が含むエネルギーを利用し、ケーシング側に配置した大きな注水口、及び排水口と共に水車内部に、流水受圧面積を大きくした状態のベーン体が通過できる大きな通水口を形成し、該通水口を大量の流水がベーン体に作用しながら通過する事で、効率良くランナを回転させ、流水の含むエネルギーを回転運動の運動エネルギーに変換し、発生したトルクを利用して発電機を運転して電力を得るという、揺動ベーン付き回転体をランナとして利用した、構造のシンプルな水車を提供する事を目的とする。有効落差が大きくなれば、即ち、流水の運動エネルギーの割合が高ければ、さらに回転の運動エネルギーが増大するのは当然である。
【課題を解決するための手段】
【０００６】  水車のランナとしての揺動ベーン付き回転体は、両端に支軸を備えた主軸の周囲に、該主軸の軸心から同一半径で、且つ該軸心を中心とする円周を等分した複数箇所に軸の中心を定め、該軸を前記主軸の軸心方向と平行に複数配置し、主軸の外面から半径方向に伸びる板状の支持具で固定し形成した回転体本体と、薄肉円筒体を利用し、該薄肉円筒体を中心方向から等分割して得られる曲面板をベーン体として利用し、該曲面板の片側曲面端に前記回転体本体側の軸を把持する開口部を設けた円筒形の軸受けを備えた複数の軸受け付き曲面板とから構成し、軸受け付きベーン体としての軸受け付き曲面板は、該軸受けで回転体本体側の軸を離脱する事なく把持しながら該軸を中心として、回転体本体の外周の外側で自在に揺動し、全ての軸受け付きベーン体が該回転体本体の外周に閉じる事で、配置された複数の軸受け付きベーン体により外形形状が円筒体外形面と同様の円曲面を形成する事を特徴とする。【０００７】  前記揺動ベーン付き回転体をランナとする揺動ベーン水車の構成について説明する。【０００８】  揺動ベーン水車は、揺動ベーン付き回転体を水車のランナとして利用し、該ランナを内面形状が楕円に類似した形状の筒から成るケーシングの内部に、さらに、ランナとしての揺動ベーン付き回転体の軸心を、ケーシングの中心から楕円の短軸上において偏心配置し、該偏心配置によるケーシング内面と、円曲面を形成した揺動ベーン付き回転体の外形面との対面間隔の狭い側に、流水漏洩防止器具として、ケーシング内面側から軸受け付きベーン体に先端が接触するように、ランナの回転方向に向けて板状の弾性体を配置し、対面間隔の広い側においては、揺動ベーン付き回転体の軸心を中心とした円弧を利用して形成したケーシング内面に、密閉作動区間の範囲を設定し、ケーシング側にランナの回転方向に従い、注水口、密閉作動区間の範囲、排水口、そして板状弾性体の順に各構成要素を設定、及び配置し、さらに、ベーン体の初期揺動動作を確保するスプリングを軸受け付きベーン体の軸受け端と主軸との間に配置し全体を構成した事を特徴とする。【０００９】本明細書中において使用している用語の定義、及び意味、内容について説明する。
楕円は長軸の長さ、即ち、長径と、短軸の長さ、即ち、短径とで表されるが、短径の両端側は大きな円となり、長径の両端側は小さな円となっている。楕円に類似した形状とは、短径の片方の端側の大きな円を真円の円弧と置換して形成した楕円に類似した形状をいう。
長軸と短軸の交点、即ち、楕円の中心をケーシングの中心とし、偏心配置とは、揺動ベーン付き回転体の軸心を、ケーシングの中心から楕円の短軸上において偏心して配置するという意味である。
軸受け付き曲面板の軸受けで回転体本体側の軸を離脱する事なく把持するとは、この場合、軸受けの開口幅寸法を軸の直径より小さくしておく事により達成される。
回転体本体の外周は、主軸の軸心を中心に、主軸の軸心から半径方向へ最も離れた板状の支持具で固定された軸の端までの寸法を半径とする円の円周として示される。
流水漏洩防止器具としての板状弾性体は、長方形の板状の弾性体を利用し、該ケーシングの中心方向と平行に配置し、ケーシングの内面に板の長辺の一端を固定し、固定側と反対側の板の先端をランナの回転方向に向け、軸受け付き曲面板に接触させて配置する。
流水が含むエネルギー、即ち位置エネルギー、圧力エネルギーそして運動エネルギーは流水が揺動ベーン水車を通過する事により回転運動における運動エネルギーに変換されるが、該回転運動における運動エネルギーを回転エネルギーと名称して使用する。
名称としての密閉作動区間の範囲の意味と内容を説明すると、揺動ベーン水車において、ケーシング内面と、軸受け付きベーン体が全て閉じる事で円曲面を形成した揺動ベーン付き回転体の外形面との対面間隔の広い側において、注水口から流入する流水が、排水口に到るまでの間、ケーシング内面、軸受け付きベーン体、軸及び板状支持具、主軸外面、ケーシング両側の蓋、流水漏洩防止器具である板状弾性体等により、ケーシング内において密閉された状態でベーン体に作用しながら移動し、流水の含むエネルギーを回転エネルギーに変換しトルクを発生する区間の範囲であり、ランナの回転方向に従えば、注水口から排水口に到る間のケーシング内面の円周方向に、ランナの軸心を中心とした円の円弧で形成され、利用する軸受け付きベーン体数等に応じて注水口位置と排水口位置とを考慮して決定される区間の範囲でもある。
本明細書中で使用している軸受け付きベーン体と軸受け付き曲面板とは同義語である。【００１０】  揺動ベーン付き回転体について作用を説明すると、軸受け付きベーン体は、該軸受けにより回転体本体側に配置された軸を離脱する事なく把持しながら該軸を中心として軸受けの開口の範囲内にて、ベーン体が回転体本体の外周の外側で自在に揺動動作を行う事で、ベーン体の出没動作に対応する動作を行い、ベーン体の働きとして必要な流水受圧面積を変化させ、軸受け付きベーン体が回転体本体の外周に閉じる事により没入動作に対応する。複数箇所に配置された軸受け付きベーン体が全て回転体本体の外周に閉じる事により、該軸受け付きベーン体で円曲面の外形形状を形成する。【００１１】  揺動ベーン水車について作用を説明すると、ケーシング側の注水口から流入する流水からの作用を受けて、揺動してベーン体の先端をケーシング内面に接触させながら密閉作動区間の範囲を回転移動中の軸受け付きベーン体は、流水のもつエネルギーを回転エネルギーに変換し、発生したトルクを主軸に伝えながら回転体本体と共に回転する。前記密閉作動区間の範囲はケーシング内面とランナである揺動ベーン付き回転体との対面間隔が一定なので、ベーン体が該密閉作動区間の範囲を回転移動中はベーン体による流水受圧面積は一定となり、単位時間当たり一定量の流水の通過により、一定の回転速度、そして一定のトルクの発生となり、該発生したトルクを主軸に伝える。さらに、流水からの作用を受けて回転移動している前方のベーン体が、密閉作動区間の範囲を通過し終える前に、後続のベーン体が該密閉作動区間の範囲に進入する事で、連続した回転とトルクの発生が維持される。対面間隔の狭い側では、ケーシング内面側からの板状弾性体の先端が水圧の作用をも受け、絶えず軸受け付きベーン体側へ移動し接触する事で流水を遮り、この位置から排水口側への流水の漏洩を防止する。対面間隔の狭い位置を通過するベーン体は閉じられた状態で移動するが、軸受け端と主軸との間に配置した引きバネとしてのスプリングの作用により、密閉作動区間の範囲に進入する前に、十分揺動し安定した状態で該密閉作動区間の範囲に進入する。【００１２】  対面間隔の広い側において、ベーン体による流水受圧面積が一定とは、密閉作動区間の範囲におけるケーシング内面を形成する円弧の中心を、揺動ベーン付き回転体の軸心と同一にする事に基づく。
ベーンモーターにおける従来技術の中で、ローターの回転始め、あるいは低速回転時のベーンの作動を確実にする目的で、ベーンをケーシング内面に確実に接触させるため、ベーンの底部にバネを配置させる構造をとるが、本発明におけるように、揺動ベーン付き回転体を水車のランナとして利用する場合は、ベーン体の初期揺動動作が確実に、且つ安定した状態で生じるようにするため、軸受け付きベーン体を構成する軸受けの開口端と主軸との間に引きバネとしてスプリングを配置し、該スプリングの作用によりベーン体の初期揺動動作を確保する。
【発明の効果】
【００１３】  揺動ベーン付き回転体について効果を説明すると、揺動ベーン付き回転体においては、軸受け付きベーン体である軸受け付き曲面板は、回転体本体側に配置された軸を、開口部を設けた軸受けで離脱する事なく把持しながら、該軸を中心に回転体本体の外周の外側で自在に揺動動作を行う事で、ベーン体による出没動作に対応しながら流水受圧面積を変化させ、回転体本体の外周に閉じる事で没入動作に対応する。ベーン体の流水受圧面積を決定する２辺の長さの内の１辺の長さは、回転体本体の外周長さを等分した値を応用する事ができ、利用するベーン体数を少なくする事で、同一直径の他型式のベーンモーター等の回転体と比較し、流水受圧面積の大きいベーン体を備えた回転体を得る事ができる。【００１４】  揺動ベーン付き回転体をランナとして利用した揺動ベーン水車について効果を説明すると、利用する軸受け付きベーン体数の少ない、即ち、流水受圧面積の大きいベーン体を備えた揺動ベーン付き回転体と、内面形状が楕円に類似した形状の筒から成るケーシングとの組合せにより、大きな注水口、及び排水口と共に、流水受圧面積の大きい状態のベーン体が移動通過できる大きな通水口をケーシング内部に設けた水車を構成する事ができ、低圧でも大量の流水が水車内部を通過する事ができる。密閉作動区間の範囲は回転移動中のベーン体による流水受圧面積が一定なので、単位時間当たり一定量の流水通過により、一定の回転速度、及び一定のトルクの発生となる。さらに、ケーシング内の密閉作動区間の範囲を通過する流水は、注水口から排水口に到るまでの間、軸受け付きベーン体、ケーシング内面、軸、及び板状支持具、主軸外面、ケーシング両側の蓋、及び流水漏洩防止器具の板状弾性体等により、密閉されながらベーン体に作用し、該密閉作動区間の範囲のみでトルクを発生し、流水の含むエネルギーを回転エネルギーに変換させるので、水車効率が高い。
【発明を実施するための最良の形態】
【００１５】  揺動ベーン付き回転体について図１〜４に基づいて構成を説明する。
両端に支軸２，３を備えた主軸１の周囲に、該主軸１の軸心Ｐから同一半径で且つ、該主軸１の軸心Ｐを中心とする円周を４等分した４箇所Ｃ１，Ｃ２，Ｃ３，Ｃ４に軸５の中心を定め、該軸５を主軸１の軸心方向と平行に配置するが、該軸５は主軸１の外面から半径方向に伸びる板状支持具４で主軸１に固定され、主軸１と共に回転体本体を形成する。揺動するベーン体として、薄肉円筒体を中心方向から４等分割して得られた曲面板７の片側曲面端に前記軸５を把持する開口部を設けた円筒形の軸受け６を備えた軸受け付き曲面板を形成し、軸５を軸受け６で把持しながら前記回転体本体と４個の軸受け付き曲面板とから揺動ベーン付き回転体を構成する。【００１６】  図５〜９に基づいて揺動ベーン水車の構成を説明する。
図７に示すように、中心をＦとする楕円Ｅの短径の片方の端側の円を、中心をＰをとする円Ａの円弧Ｑ’Ｒ’１３と置換した、楕円に類似した形状を利用してケーシング１２の筒の内面を形成し、図６に示すように、ランナとしての揺動ベーン付き回転体を該ケーシング１２の内部に、さらに、該揺動ベーン付き回転体の軸心Ｐを、ケーシングの中心Ｆから楕円Ｅの短軸上において偏心配置し、該偏心配置によるケーシング内面と、全てのベーン体が閉じて円曲面を形成した揺動ベーン付き回転体の外形面との対面間隔の狭い側に、図８に示すように、ケーシング１２の内面に板バネ９の基端部をボルト、ナット１６で固定し、該板バネ９の先端を、ランナの回転方向Ｇに向けて、軸受け付き曲面板に接触させて配置する。対面間隔の広い側のケーシング内面には、中心をＰとする円Ａにランナの回転方向Ｇに従い、密閉作動区間の開始位置をＱ’、密閉作動区間の終了位置をＲ’とした円弧Ｑ’Ｒ’１３を利用し密閉作動区間の範囲Ｓ’を設定する。ランナの回転方向Ｇに従い、ケーシング側に流水の注水口１０、密閉作動区間の範囲Ｓ’、排水口１１そして板バネ９の順に各要素を配置した構成とする。なお、注水口１０、及び排水口１１は図６に示す通りである。図８〜９に板状弾性体としての板バネ９の取り付けを拡大図として示す。【００１７】  利用する軸受け付きベーン体数については、４箇所の設定配置に限らず複数箇所の設定配置が考えられるが、軸受け付きベーン体数をＮとした場合に、密閉作動区間の範囲は対面間隔の広い範囲を利用し、揺動ベーン付き回転体がＮ分の１回転した際、揺動したベーン体である曲面板の先端がケーシング内面に接しながら移動した範囲をわずかに超えた範囲として、揺動ベーン付き回転体の軸心を中心とした円弧で形成されたケーシング内面円周方向に注水口と排水口の設定位置を考慮して決定する。【００１８】  揺動ベーン付き回転体の作用を構成に基づいて説明すると、図３に示すように、４箇所に配置された揺動するベーン体としての軸受け付き曲面板は、該軸受け６で軸５を把持しながら該軸５を中心に、回転体本体の外周の外側で自在に揺動動作を行い、ベーン体である曲面板７の流水受圧面積を変化させる、図２に示すように、軸受け付きベーン体としての軸受け付き曲面板が、全て回転体本体の外周に閉じる事で、４箇所に配置された軸受け付き曲面板により、外形形状が円筒体外形面と同様の円曲面を形成する。軸５を把持する軸受け６の開口幅寸法Ｘを軸５の直径寸法Ｙより小さく保つ事で軸５から軸受け６の離脱を防止する。なお、回転体本体の外周は、図４に示すように、主軸１の軸心Ｐから半径方向で軸５の端までの長さを寸法Ｍとすれば、主軸１の軸心Ｐを中心に寸法Ｍを半径とする円の円周で示される。【００１９】  揺動ベーン水車の作用を構成に基づいて説明すると、図５〜６に示すように、ケーシング１２側に大きく設定、配置した注水口１０から流入する流水の作用を受けて軸受け付きベーン体は密閉作動区間の範囲Ｓ’を回転移動しながら、流水が含むエネルギーを回転エネルギーに変換し、発生したトルクを回転体本体の主軸１に伝える。ベーン体である曲面板７が密閉作動区間の範囲Ｓ’を通過中はベーン体による流水受圧面積は一定なので、単位時間当たり一定量の流水からの作用によってランナに生じる回転速度、及び発生するトルクは一定となる。対面間隔の狭い側において、ケーシング内面側に配置した板バネ９は、さらに流水による圧力をも受けて先端を軸受け付きベーン体側に移動し接触する事で流水を遮り、この位置から排水口１１側への流水の漏洩を防止する。ランナとして利用した前記揺動ベーン付き回転体はベーン体数が４枚であり、密閉作動区間の範囲Ｓ’は中心をＰとする円Ａの４分の１円弧Ｓより大きく範囲を設定しているので、回転方向Ｇに従い、前方のベーン体が密閉作動区間の範囲Ｓ’を通過し終える前に、後続のベーン体が該密閉作動区間の範囲Ｓ’に進入する事で安定した連続回転が維持される。対面間隔の狭い位置を通過する際、回転体本体の外周に閉じた状態のベーン体である曲面板７は、対面間隔の広い側への回転移動に伴い、スプリング８の作用により揺動し、密閉作動区間の範囲Ｓ’に安定した状態で進入する。図８には、ケーシング内面側に基端部をボルト、ナット１６で固定し、先端を回転方向に向けて、軸受け付き曲面板に接触させた状態の板バネ９を示す。図１０〜１３は、内面形状が楕円に類似した形状の筒から成るケーシング内部における、ランナの回転方向Ｇに従っての、軸受け付きベーン体の動作状態を示す。
【産業上の利用可能性】
【００２０】  流体受圧面積の大きなベーン体を備えた揺動ベーン付き回転体は、ポンプのローターとして利用する事により、低速回転でも吐出容量の大きなポンプを設計できる。
河川の中流域、あるいは下流域における流水の利用に限らず、本発明における揺動ベーン水車は、農村地帯の感慨用水路における農業用水、工場地帯における工業用水、さらに下水処理施設における処理用水や山間部の渓流水等における流水を利用し発電機の回転駆動力源とする事ができる。
【図面の簡単な説明】
【００２１】
【図１】は、軸受け付きベーン体が揺動した状態の揺動ベーン付き回転体の斜視図である。
【図２】は、軸受付きベーン体が全て閉じた状態の揺動ベーン付き回転体の斜視図である。
【図３】は、図１の出力軸２の軸心方向からの側面図である。
【図４】は、図２の出力軸２の軸心方向からの側面図である。
【図５】は、揺動ベーン水車の外観を示す分解斜視図である。
【図６】は、揺動ベーン水車の出力軸２の軸心方向からの蓋を含まないケーシング内の側面図である。
【図７】は、ケーシングの内面形状の形成を示す説明図である。
【図８】は、［図  ６］のＢで示す範囲の拡大図である。
【図９】は、板バネ９の斜視図である。
2008208824.tif 000003
【符号の説明】
【００２２】  １    主軸
２    支軸（出力軸）
３    支軸
４    板状支持具
５    軸
６    軸受け
７    曲面板
８    スプリング
９    板バネ
１０    注水口
１１    排水口
１２    ケーシング
１３    円弧Ｑ’Ｒ’
１４    蓋
１５    蓋
１６    ボルト、ナット
１７    角フランジ型ユニット
Ａ      中心をＰとする円
Ｂ      板バネ取り付け部拡大範囲
Ｃ１    軸５の中心
Ｃ２    軸５の中心
Ｃ３    軸５の中心
Ｃ４    軸５の中心
Ｐ      揺動ベーン付き回転体（ランナ）の軸心、円Ａの中心、主軸１の軸心
Ｅ      中心をＦとする楕円
Ｆ      楕円Ｅの中心、ケーシングの中心
Ｍ      寸法
Ｑ      円Ａの４分の１円弧の開始位置
Ｑ’    密閉作動区間の開始位置
Ｒ      円Ａの４分の１円弧の終了位置
Ｒ’    密閉作動区間の終了位置
Ｓ      中心をＰとする円Ａの４分の１円弧
Ｓ’    密閉作動区間の範囲
Ｇ      ランナの回転方向
Ｘ      軸受け６の開口幅寸法
Ｙ      軸５の直径寸法
【図１】
2008208824.tif 000004
【図２】
2008208824.tif 000005
【図３】
2008208824.tif 000006
【図４】
2008208824.tif 000007
【図５】
2008208824.tif 000008
【図６】
2008208824.tif 000009
【図７】
2008208824.tif 000010
【図８】
2008208824.tif 000011
【図９】
2008208824.tif 000012
【図１０】
2008208824.tif 000013
【図１１】
2008208824.tif 000014
【図１２】
2008208824.tif 000015
【図１３】
2008208824.tif 000016
【手続補正書】
【提出日】平成19年4月4日(2007.4.4)
【手続補正１】
【補正対象書類名】明細書
【補正対象項目名】００２１
【補正方法】変更
【補正の内容】
【００２１】
【図１】は、軸受け付きベーン体が揺動した状態の揺動ベーン付き回転体の斜視図である。
【図２】は、軸受け付きベーン体が全て閉じた状態の揺動ベーン付き回転体の斜視図である。
【図３】は、図１の出力軸２の軸心方向からの側面図である。
【図４】は、図２の出力軸２の軸心方向からの側面図である。
【図５】は、揺動ベーン水車の外観を示す分解斜視図である。
【図６】は、揺動ベーン水車の出力軸２の軸心方向からの蓋を含まないケーシング内の側面図である。
【図７】は、ケーシングの内面形状の形成を示す説明図である。
【図８】は、図６のＢで示す範囲の拡大図である。
【図９】は、板バネ９の斜視図である。
2008208824.tif 000017
【手続補正書】
【提出日】平成19年4月25日(2007.4.25)
【手続補正１】
【補正対象書類名】明細書
【補正対象項目名】００２１
【補正方法】変更
【補正の内容】
【００２１】
【図１】は、軸受け付きベーン体が揺動した状態の揺動ベーン付き回転体の斜視図である。
【図２】は、軸受付きベーン体が全て閉じた状態の揺動ベーン付き回転体の斜視図である。
【図３】は、図１の出力軸２の軸心方向からの側面図である。
【図４】は、図２の出力軸２の軸心方向からの側面図である。
【図５】は、揺動ベーン水車の外観を示す分解斜視図である。
【図６】は、揺動ベーン水車の出力軸２の軸心方向からの蓋を含まないケーシング内の側面図である。
【図７】は、ケーシングの内面形状の形成を示す説明図である。
【図８】は、［図６］のＢで示す範囲の拡大図である。
【図９】は、板バネ９の斜視図である。
【図１０】は、ケーシング内部におけるランナの回転方向Ｇに従っての、軸受け付きベーン体の動作状態を示す図である。
【図１１】は、ケーシング内部におけるランナの回転方向Ｇに従って、図１０の状態からさらに、ランナが回転した場合の軸受け付きベーン体の動作状態を示す図である。
【図１２】は、ケーシング内部におけるランナの回転方向Ｇに従って、図１１の状態からさらに、ランナが回転した場合の軸受け付きベーン体の動作状態を示す図である。
【図１３】は、ケーシング内部におけるランナの回転方向Ｇに従って、図１２の状態からさらに、ランナが回転した場合の軸受け付きベーン体の動作状態を示す図である。
【手続補正書】
【提出日】平成19年11月2日(2007.11.2)
【手続補正１】
【補正対象書類名】明細書
【補正対象項目名】０００２
【補正方法】変更
【補正の内容】
【０００２】従来の回転ピストン機構においては、ケーシング中に取り付けられた回転ピストンをもち、この回転ピストンの回りには、円周方向に均等に分散した配置でいくつかの旋回スライダが回転ピストンの回転軸心に平行な軸のまわりで旋回可能に連結され、この旋回スライダは回転ピストンの回転の際に遠心力でケーシングの内周に接する回転ピストン機構を示している（例えば、特許文献１参照）。
また、従来の水流を利用した回転ポンプの水圧回転方法とその装置においては、円筒形若しくは長円形の囲壁内に偏心ロータを内設し、かつ該偏心ロータに複数の羽根を出入可能に装設して囲壁内の空気を保持して流体を搬送する回転ポンプにおいて、水道管等から大量に流水される水流を利用して水圧回転させ、該水圧回転により発電機等を起動させる水流を利用した回転ポンプの水圧回転方法を示しているものもある（例えば、特許文献２参照）。
【手続補正２】
【補正対象書類名】明細書
【補正対象項目名】０００３
【補正方法】変更
【補正の内容】
【０００３】
【特許文献１】特開昭５６−１５９５０６号公報（第１−５頁、第１図）
【特許文献２】特開２００１−２５４６６５号公報（第２−３頁、第１図）